(57)【要約】【課題】２つの電極間の絶縁不良が発生することを抑制できる温水装置を提供する。【解決手段】温水装置は、バーナと、顕熱回収熱交換器１０と、点火プラグ１４とを備えている。顕熱回収熱交換器１０は、ケース１１を含む。点火プラブ１４は、碍子部１４ｃと、２つの電極１４ａ，１４ｂとを含む。碍子部１４ｃは、基端部と、先端部とを含む。先端部は、先端面と、溝部とを有する。先端面は、基端部と反対側に配置されている。溝部は、先端面から基端部に向けて窪む。溝部は、２つの電極１４ａ，１４ｂの間に配置され、かつ先端部の上端から下端に亘って設けられている。横方向における溝部の幅は、先端部の上端から下端に向けて狭くなっている。【選択図】図２
2018071854.tif 000002
【特許請求の範囲】
【請求項１】
加熱用の燃焼ガスを発生させるバーナと、
前記バーナの下方に設けられ、かつ前記燃焼ガスにより湯水を加熱する熱交換器と、
前記バーナに点火する点火プラグと、を備え、
前記熱交換器は、内部と外部とを仕切る壁面を有するケースを含み、
前記点火プラグは、前記ケースの前記壁面に取り付けられた碍子部と、それぞれが前記碍子部を貫通して前記ケースの前記内部から前記外部に渡って延びかつ横方向に互いに間隔をあけて配置された２つの電極とを含み、
前記碍子部は、前記ケースの前記壁面に取り付けられた基端部と、前記基端部から前記壁面とは反対側に突出する先端部とを含み、
前記先端部は、前記基端部と反対側に配置された先端面と、前記先端面から前記基端部に向けて窪む溝部とを有し、
前記溝部は、前記２つの電極の間に配置され、かつ前記先端部の上端から下端に亘って設けられており、
前記横方向における前記溝部の幅は、前記先端部の前記上端から前記下端に向けて狭くなっている、温水装置。
【請求項２】
前記溝部の幅は、前記基端部から前記先端面に向けて広くなっている、請求項１に記載の温水装置。
【請求項３】
前記先端部は、前記横方向において、前記溝部の一方側に配置された一方端部と、前記溝部の他方側に配置された他方端部とを含み、
前記一方端部は、前記他方端部とは反対側に、高さが低くなる下り勾配を有し、
前記他方端部は、前記一方端部とは反対側に、高さが低くなる下り勾配を有している、請求項１または２に記載の温水装置。
【請求項４】
前記溝部は、前記先端部の前記上端に設けられた傾斜壁部を含み、
前記傾斜壁部は、前記先端部の前記上端から前記下端に向けて平面状に高さが低くなる下り勾配を有している、請求項１〜３のいずれか１項に記載の温水装置。
【請求項５】
前記傾斜壁部は、前記電極を前記電極の周方向に取り囲み、かつ前記電極が中心に位置する仮想の円の接線となるように設けられている、請求項４に記載の温水装置。
【請求項６】
前記溝部は、前記先端部の前記上端に設けられた傾斜壁部を含み、
前記傾斜壁部は、前記先端部の前記上端から前記下端に向けて曲面状に高さが低くなる下り勾配を有している、請求項１〜３のいずれか１項に記載の温水装置。
【請求項７】
前記先端部は、２つの円筒部を含み、
２つの前記円筒部の各々に前記２つの電極の各々が前記円筒部の軸方向に挿通されており、
前記溝部は、前記２つの円筒部同士の間に配置されている、請求項１〜３のいずれか１項に記載の温水装置。
【請求項８】
前記先端部は、前記２つの円筒部同士の間に配置された接続壁を含み、
前記２つの円筒部の各々は前記接続壁よりも前記基端部から前記壁面とは反対側に突出しており、
前記接続壁の上端は、前記基端部から前記壁面とは反対側に高さが低くなる下り勾配を有している、請求項７に記載の温水装置。
【請求項９】
前記先端部は、前記基端部から前記ケースの前記内部に突出しており、
前記溝部は、前記ケースの内部に配置されている、請求項１〜８のいずれか１項に記載の温水装置。
【請求項１０】
前記先端部は、前記基端部から前記ケースの前記外部に突出しており、
前記溝部は、前記ケースの外部に配置されている、請求項１〜８のいずれか１項に記載の温水装置。
【請求項１１】
前記先端部は、前記基端部から前記ケースの前記内部および前記外部の両方に突出しており、
前記溝部は、前記ケースの前記内部および前記外部の両方に配置されており、
前記ケースの前記内部に配置された前記溝部の深さは、前記ケースの前記外部に配置された前記溝部の深さよりも大きくなっている、請求項１〜８のいずれか１項に記載の温水装置。
【発明の詳細な説明】
【技術分野】
【０００１】
本発明は、温水装置に関し、特に、バーナと熱交換器とを備えた温水装置に関するものである。
【背景技術】
【０００２】
複数の電極を有する点火プラグを備えた温水装置は、たとえば特開平７−１９０３５９号公報（特許文献１）に開示されている。この温水装置の点火プラグにおいては、複数の電極は互いに間隔をおいて基部（碍子部）に保持されている。この碍子部はガス燃焼バーナ装置のケースの側板（壁面）に配置されている。
【先行技術文献】
【特許文献】
【０００３】
【特許文献１】特開平７−１９０３５９号公報
【発明の概要】
【発明が解決しようとする課題】
【０００４】
上記の公報に記載された点火プラグでは、ケースの壁面で発生した結露水は碍子部に滴下して付着する。この結露水によって２つの電極が互いに導通することにより、２つの電極間の絶縁不良が発生するという問題がある。
【０００５】
本発明は、上記の課題に鑑みてなされたものであり、その目的は、２つの電極間の絶縁不良が発生することを抑制できる温水装置を提供することである。
【課題を解決するための手段】
【０００６】
本発明の温水装置は、バーナと、熱交換器と、点火プラグとを備えている。バーナは、加熱用の燃焼ガスを発生させる。熱交換器は、バーナの下方に設けられ、かつ燃焼ガスにより湯水を加熱する。点火プラグはバーナに点火する。熱交換器は、ケースを含む。ケースは、内部と外部とを仕切る壁面を有する。点火プラグは、碍子部と、２つの電極とを含む。碍子部は、ケースの壁面に取り付けられている。２つの電極はそれぞれが碍子部を貫通してケースの内部から外部に渡って延びかつ横方向に互いに間隔をあけて配置されている。碍子部は、基端部と、先端部とを含む。基端部は、ケースの壁面に取り付けられている。先端部は、基端部から壁面とは反対側に突出する。先端部は、先端面と、溝部とを有する。先端面は、基端部と反対側に配置されている。溝部は、先端面から基端部に向けて窪む。溝部は、２つの電極の間に配置され、かつ先端部の上端から下端に亘って設けられている。横方向における溝部の幅は、先端部の上端から下端に向けて狭くなっている。
【０００７】
本発明の温水装置によれば、溝部は先端面から基端部に向けて窪み、２つの電極の間に配置され、先端部の上端から下端に亘って設けられている。そして、横方向における溝部の幅は、先端部の上端から下端に向けて狭くなっている。これにより、壁面で発生し碍子部に滴下して付着した結露水が溝部に流れやすくなる。このため、先端部の上端に溜まった結露水が２つの電極を互いに繋ぐことによって２つの電極が互いに導通することを抑制することができる。したがって、２つの電極間の絶縁不良が発生することを抑制することができる。
【０００８】
上記の温水装置において、溝部の幅は、基端部から先端面に向けて広くなっている。これにより、結露水は先端部の上端において基端部から先端面に向けて溜まりにくくなるため、先端部の上端に溜まった結露水が２つの電極を互いに繋ぐことによって２つの電極が互いに導通することをさらに抑制することができる。
【０００９】
上記の温水装置において、先端部は、横方向において、溝部の一方側に配置された一方端部と、溝部の他方側に配置された他方端部とを含む。一方端部は、他方端部とは反対側に、高さが低くなる下り勾配を有している。他方端部は、一方端部とは反対側に、高さが低くなる下り勾配を有している。これにより、一方端部に付着した結露水を他方端部とは反対側に流すことができ、他方端部に付着した結露水を一方端部とは反対側に流すことができる。したがって、結露水が先端部の上端に溜まりにくくなる。このため、先端部の上端に溜まった結露水が２つの電極を互いに繋ぐことによって２つの電極が互いに導通することをさらに抑制することができる。
【００１０】
上記の温水装置において、溝部は、先端部の上端に設けられた傾斜壁部を含む。傾斜壁部は、先端部の上端から下端に向けて平面状に高さが低くなる下り勾配を有している。これにより、傾斜壁部の平面状に高さが低くなる下り勾配に沿って結露水を流すことで、結露水が溝部を流れやすくすることができる。
【００１１】
上記の温水装置において、傾斜壁部は、前記電極を前記電極の周方向に取り囲み、かつ前記電極が中心に位置する仮想の円の接線となるように設けられている。このため、絶縁性を確保するように仮想の円を設定することにより、絶縁性を確保しつつ傾斜壁部に沿って結露水を流れやすくすることができる。
【００１２】
上記の温水装置において、溝部は、先端部の上端に設けられた傾斜壁部を含む。傾斜壁部は、先端部の上端から下端に向けて曲面状に高さが低くなる下り勾配を有している。これにより、傾斜壁部の曲面状に高さが低くなる下り勾配に沿って結露水を流すことで、結露水が溝部を流れやすくすることができる。
【００１３】
上記の温水装置において、先端部は、２つの円筒部を含む。２つの円筒部の各々に２つの電極の各々が円筒部の軸方向に挿通されている。溝部は、２つの円筒部同士の間に配置されている。これにより、２つの円筒部同士の間に配置された溝部に結露水を流すことができる。また、２つの電極の各々は円筒部の径方向に均一に絶縁性を確保することができる。
【００１４】
上記の温水装置において、先端部は、２つの円筒部同士の間に配置された接続壁を含む。２つの円筒部の各々は接続壁よりも基端部から壁面とは反対側に突出している。接続壁の上端は、基端部から壁面とは反対側に高さが低くなる下り勾配を有している。これにより、接続壁に沿って結露水を流すことで、結露水が溝部を流れやすくすることができる。
【００１５】
上記の温水装置において、先端部は、基端部からケースの内部に突出している。溝部は、ケースの内部に配置されている。これにより、ケースの内部において先端部の上端に溜まった結露水が２つの電極を互いに繋ぐことによって２つの電極が互いに導通することを抑制することができる。
【００１６】
上記の温水装置において、先端部は、基端部からケースの外部に突出している。溝部は、ケースの外部に配置されている。これにより、ケースの外部において先端部の上端に溜まった結露水が２つの電極を互いに繋ぐことによって２つの電極が互いに導通することを抑制することができる。
【００１７】
上記の温水装置において、先端部は、基端部からケースの内部および外部の両方に突出している。溝部は、ケースの内部および外部の両方に配置されている。ケースの内部に配置された溝部の深さは、ケースの外部に配置された溝部の深さよりも大きくなっている。これにより、ケースの内部および外部の両方において先端部の上端に溜まった結露水が２つの電極を互いに繋ぐことによって２つの電極が互いに導通することを抑制することができる。また、ケースの内部で発生する結露水はケースの外部で発生する結露水よりも多い。このため、ケースの内部に配置された溝部の深さがケースの外部に配置された溝部の深さよりも大きくなっていることにより、ケースの内部において発生した結露水を溝部に多く流すことができる。したがって、結露水が多く発生するケースの内部において先端部の上端に溜まった結露水が２つの電極を互いに繋ぐことによって２つの電極が互いに導通することを効果的に抑制することができる。
【発明の効果】
【００１８】
以上説明したように本発明によれば、２つの電極間の絶縁不良が発生することを抑制することができる温水装置を提供することができる。
【図面の簡単な説明】
【００１９】
【図１】本発明の一実施の形態における温水装置の構成を模式的に示す図である。
【図２】本発明の一実施の形態における顕熱回収熱交換器および潜熱回収熱交換器の構成を概略的に示す斜視図である。
【図３】本発明の一実施の形態における顕熱回収熱交換器の構成を概略的に示す斜視図である。
【図４】本発明の一実施の形態における顕熱回収熱交換器の構成を概略的に示す断面図である。
【図５】図４における点火プラグ付近を拡大して示す拡大断面図である。
【図６】図５の矢印Ａ方向から見た図である。
【図７】本発明の一実施の形態における点火プラグのケースの外部に配置される側から見た構成を示す斜視図である。
【図８】本発明の一実施の形態における点火プラグのケースの内部に配置される側から見た構成を示す斜視図である。
【図９】図２における点火プラグ付近を拡大して示す拡大正面図である。
【図１０】本発明の一実施の形態における点火プラグのケースの内部に配置される側から見た構成を示す正面図である。
【図１１】本発明の一実施の形態における点火プラグに結露水が付着した状態を示す斜視図である。
【図１２】比較例における点火プラブに結露水が付着した状態を示す斜視図である。
【図１３】点火プラグの第１の変形例を示す正面図である。
【図１４】点火プラグの第２の変形例を示す正面図である。
【図１５】点火プラグの第３の変形例を示す上面図である。
【図１６】点火プラグの第３の変形例のケースの外部に配置される側から見た構成を示す斜視図である。
【図１７】点火プラグの第３の変形例のケースの内部に配置される側から見た構成を示す斜視図である。
【発明を実施するための形態】
【００２０】
以下、本発明の実施の形態について図に基づいて説明する。
まず、本発明の一実施の形態における温水装置の構成について図１を用いて説明する。
【００２１】
図１に示されるように、本実施の形態の温水装置１００は、顕熱回収熱交換器（一次熱交換器）１０と、点火プラグ１４と、潜熱回収熱交換器（二次熱交換器）２０と、バーナ３０と、チャンバ３１と、送風装置３２と、ダクト３３と、ベンチュリ３４、オリフィス３５、ガスバルブ３６、配管４０と、バイパス配管４１と、三方弁４２と、液液熱交換器４３と、温水配管４４と、筐体５０とを主に有している。筐体５０の内部に、上記の部品のうち筐体５０を除く全ての部品が配置されている。
【００２２】
ガスバルブ３６、オリフィス３５およびベンチュリ３４がこの順で配管に接続されている。この配管には筐体５０の外部から燃料ガスが供給可能である。この配管に供給された燃料ガスは、ガスバルブ３６とオリフィス３５とを通じてベンチュリ３４に流れる。
【００２３】
ガスバルブ３６は燃料ガスの流量を制御するためのものである。ベンチュリ３４は、燃料ガスと空気との混合ガスの流れを絞ることによって混合ガスの流速を増加させるものである。ベンチュリ３４は、筐体５０の外部から空気を取り入れられるように構成されている。ベンチュリ３４は、筐体５０の外部から取り入れた空気と、配管から供給された燃料ガスとを混合するように構成されている。
【００２４】
ベンチュリ３４は配管を通じて送風装置３２に接続されている。この配管により、ベンチュリ３４で混合された混合ガスは送風装置３２に送られる。送風装置３２は、混合ガスをバーナ３０へ送出するためのものである。送風装置３２は、ファンケースと、ファンケース内に配置された羽根車と、羽根車を回転させるための駆動源（モータなど）とを主に有している。
【００２５】
送風装置３２はチャンバ３１に接続されており、チャンバ３１はバーナ３０に接続されている。送風装置３２から送出された混合ガスは、チャンバ３１を通じてバーナ３０に送られる。
【００２６】
バーナ３０は、混合ガスを燃焼することにより加熱用の燃焼ガスを発生させるためのものである。バーナ３０は燃焼ガスを下向きに供給する逆燃式の装置である。バーナ３０から吹出される混合ガスは、点火プラグ１４によって着火され、燃焼ガスとなる。点火プラグ１４は、後述するように顕熱回収熱交換器１０に取り付けられている。
【００２７】
燃焼ガスが顕熱回収熱交換器１０および潜熱回収熱交換器２０を順に通過するように、バーナ３０、顕熱回収熱交換器１０および潜熱回収熱交換器２０が接続されている。顕熱回収熱交換器１０および潜熱回収熱交換器２０の各々はバーナ３０の下方に設けられている。具体的には、バーナ３０の下方に顕熱回収熱交換器１０が取り付けられており、この顕熱回収熱交換器１０の下方に潜熱回収熱交換器２０が取り付けられている。
【００２８】
潜熱回収熱交換器２０にはダクト３３が接続されており、ダクト３３は筐体５０の外部へ延びている。これにより、潜熱回収熱交換器２０を通過した燃焼ガスは、ダクト３３を通じて筐体５０の外部へ排出される。
【００２９】
顕熱回収熱交換器１０および潜熱回収熱交換器２０の各々は、燃焼ガスにより湯水を加熱するためのものである。具体的には、顕熱回収熱交換器１０および潜熱回収熱交換器２０の各々は、バーナ３０から供給された燃焼ガスと湯水との間で熱交換を行うことにより湯水を加熱するためのものである。
【００３０】
顕熱回収熱交換器１０は、バーナ３０が発生させた燃焼ガスの顕熱を回収するためのものである。潜熱回収熱交換器２０は、燃焼ガスの潜熱を回収するためのものである。この潜熱回収熱交換器２０には、たとえばプレート式熱交換器が用いられる。
【００３１】
顕熱回収熱交換器１０において入水する湯水の温度が低い場合、またはバーナ３０の加熱量が少ない場合などには、顕熱回収熱交換器１０内において燃焼ガスの水蒸気が凝縮し、凝縮した結露水（ドレン）が発生する。また潜熱回収熱交換器２０においても、ドレンが発生する。これらのドレンはダクト３３の一部を通って、筐体５０の外部へ排水される。また、顕熱回収熱交換器１０外において空気の温度が高く、顕熱回収熱交換器１０に入水する湯水の温度が低い場合などには、顕熱回収熱交換器１０外において空気中の水蒸気が凝縮した結露水が発生する。つまり、顕熱回収熱交換器１０の内部においては燃焼ガスの水蒸気が凝縮した結露水（ドレン）が発生し、顕熱回収熱交換器１０の外部においては空気中の水蒸気が凝縮した結露水が発生する。顕熱回収熱交換器１０の内部および外部のいずれも後述する吸熱パイプの部分において結露水が発生しやすい。
【００３２】
顕熱回収熱交換器１０の吸熱パイプと潜熱回収熱交換器２０の吸熱パイプとは配管４０で接続されている。潜熱回収熱交換器２０よりも入水側の配管４０の部分と、顕熱回収熱交換器１０よりも出湯側の配管４０の部分とはバイパス配管４１によりバイパスされている。
【００３３】
顕熱回収熱交換器１０よりも出湯側の配管４０の部分とバイパス配管４１とは三方弁４２で接続されている。三方弁４２は、顕熱回収熱交換器１０から配管４０の出湯口への流路と、顕熱回収熱交換器１０からバイパス配管４１への流路とを切り替え可能に構成されている。
【００３４】
バイパス配管４１には液液熱交換器４３が接続されている。液液熱交換器４３には、温水端末に接続された温水配管４４が挿入されている。液液熱交換器４３は、顕熱回収熱交換器１０および潜熱回収熱交換器２０を通って温められた温水が液液熱交換器４３の内部に流れるように構成されている。この液液熱交換器４３の内部を流れる温水が温水配管４４の外側を流れることにより、液液熱交換器４３の内部を流れる温水と温水配管４４の内部を流れる温水との間で熱交換を行うことが可能となる。
【００３５】
上記の温水装置１００に供給された水は、顕熱回収熱交換器１０および潜熱回収熱交換器２０において燃焼ガスと熱交換をして湯となる。これにより温水装置１００によって湯を供給することが可能となる。
【００３６】
温水端末から戻ってきた温水は、温水配管４４を通って、液液熱交換器４３において顕熱回収熱交換器１０および潜熱回収熱交換器２０で温められた温水との熱交換により温められてから、再び温水端末に供給される。このようにして、温水装置１００によって温水端末に温水を供給することが可能となる。
【００３７】
次に、上記の温水装置１００に用いられる顕熱回収熱交換器（熱交換器）１０の構成について図２〜図４を用いて説明する。
【００３８】
図２に示されるように、本実施の形態の顕熱回収熱交換器１０は、ケース１１と、ヘッダ１２と、吸熱パイプ（伝熱管：図３、図４）１３と、フィン１６（図４）と、押さえ部材１７と、固定部材１８とを主に有している。
【００３９】
ケース１１は、第１側壁１１ａ、第２側壁１１ｂ、第３側壁１１ｃおよび第４側壁１１ｄを有している。第１側壁１１ａ〜第４側壁１１ｄは、四角の枠状となるように接続されている。
【００４０】
第１側壁１１ａと第３側壁１１ｃとは互いに対面している。第２側壁１１ｂと第４側壁１１ｄとは互いに対面している。第１側壁１１ａ〜第４側壁１１ｄの各々は、ケース１１の内部と外部と仕切る壁面を有している。
【００４１】
上記枠形状を有するケース１１は上下に開口を有している。これによりケース１１の上側の開口を通ってケース１１の内部に燃焼ガスが給気可能である。またケース１１の下側の開口を通って燃焼ガスがケース１１の外部へ排気可能である。
【００４２】
第１側壁１１ａの外面にヘッダ１２が設けられている。第１側壁１１ａの外面に設けられたヘッダ１２には、入水側の継手１３ａおよび出湯側の継手１３ｂが取り付けられている。第３側壁１１ｃの外面にも図示しないヘッダ１２が設けられている。
【００４３】
図３に示されるように、第１側壁１１ａの外面に設けられたヘッダ１２と、第３側壁１１ｃの外面に設けられたヘッダ１２とは複数の吸熱パイプ１３で接続されている。複数の吸熱パイプ１３は、ケース１１の内部に位置する吸熱パイプ１３と、ケース１１の外部に位置する吸熱パイプ１３とを有している。
【００４４】
このヘッダ１２と吸熱パイプ１３とを流通する湯水の流れはたとえば以下のようになる。
【００４５】
入水側の継手１３ａから入水した湯水は、第１側壁１１ａの外面の最も一方端側に設けられたヘッダ１２を通じて、ケース１１の内部に位置する吸熱パイプ１３に入る。この吸熱パイプ１３内に入った湯水は、第３側壁１１ｃの外面に設けられた図示しないヘッダ１２に達する。第３側壁１１ｃの外面に設けられたヘッダ１２に達した湯水は、当該ヘッダ１２に接続された別の吸熱パイプ１３を通って第１側壁１１ａの外面に設けられたヘッダ１２に達する。
【００４６】
このように湯水は、第１側壁１１ａ側から第３側壁１１ｃ側へ向かった後に、第３側壁１１ｃ側から第１側壁１１ａ側へ折り返される。その後、湯水は、第３側壁１１ｃ側への折り返しと第１側壁１１ａ側への折り返しとが繰り返されるように流れる。
【００４７】
図２に示されるように、上記により第１側壁１１ａの外面の最も他方端側に設けられたヘッダ１２に到達した湯水は、第２側壁１１ｂの外面に設けられた吸熱パイプ１３を通って第３側壁１１ｃの外面に設けられたヘッダ１２に達する。
【００４８】
図３に示されるように、第３側壁１１ｃの外面に設けられたヘッダ１２に達した湯水は、第４側壁１１ｄの外面に設けられた吸熱パイプ１３を通って第１側壁１１ａの外面に設けられたヘッダ１２に達し、最後に、湯側の継手１３ｂから出湯する。
【００４９】
図４に示されるように、ケース１１の内部に位置する吸熱パイプ１３の外周面には、複数のフィン１６が接続されている。なお図３においては、説明の簡略化のため、フィンの図示は省略されている。
【００５０】
第２側壁１１ｂには、ケース１１の外部から内部に向かって窪んだ凹部１１ｂａが設けられている。ケース１１の外部であって第２側壁１１ｂ側に位置する吸熱パイプ１３の少なくとも一部は凹部１１ｂａに嵌っている。
【００５１】
また第４側壁１１ｄには、ケース１１の外部から内部に向かって窪んだ凹部１１ｄａが設けられている。ケース１１の外部であって第４側壁１１ｄ側に位置する吸熱パイプ１３の少なくとも一部は凹部１１ｄａに嵌っている。
【００５２】
図３および図４に示されるように、点火プラグ１４は、ケース１１の内部から外部に渡って位置するように、ケース１１の壁面に取り付けられている。点火プラグ１４は、たとえば第２側壁１１ｂを貫通するように第２側壁１１ｂに取り付けられている。
【００５３】
点火プラグ１４は、ケース１１の外部であって第２側壁１１ｂ側に位置する複数の吸熱パイプ１３のうち最もバーナ３０の近くに位置する吸熱パイプ１３（最上方吸熱パイプ１３）の真下に配置されている。
【００５４】
点火プラグ１４は、少なくとも２つの電極を含んでいる。言い換えれば、点火プラグ１４は２つ以上の電極を含んでいる。本実施の形態においては、点火プラグ１４は、たとえば１対の点火プラグ電極１４ａと、フレームロッド電極１４ｂとを含んでいる。１対の点火プラグ電極１４ａは、点火スパークを生じさせることにより、バーナ３０から噴き出された混合ガスに火炎を生じさせるものである。フレームロッド電極１４ｂは、バーナ３０で生じた火炎の間に交流電圧を印加し火炎のイオン化による導電性、整流作用を利用して、フレームロッド電極１４ｂから火炎へ流れる直流電流を検知することにより火炎の有無を検出するためのものである。なお、点火プラグ電極１４ａとフレームロッド電極１４ｂがそれぞれ１つずつでも良い。また、１対の点火プラグ電極１４ａのみでフレームロッド電極１４ｂがなくても良い。
【００５５】
点火プラグ１４は、碍子部１４ｃを含んでいる。碍子部１４ｃはケース１１の壁面に取り付けられている。本実施の形態においては、１対の点火プラグ電極１４ａと、フレームロッド電極１４ｂとの各々は、碍子部１４ｃを貫通しており、碍子部１４ｃに保持されている。１対の点火プラグ電極１４ａおよびフレームロッド電極１４ｂのそれぞれが碍子部１４ｃを貫通してケース１１の内部から外部に渡って延びている。１対の点火プラグ電極１４ａと、フレームロッド電極１４ｂとは、横方向（上下方向に直交する方向）に互いに間隔をあけて配置されている。１対の点火プラグ電極１４ａと、フレームロッド電極１４ｂとは、たとえば横方向に一列となるように配置されている。１対の点火プラグ電極１４ａと、フレームロッド電極１４ｂとの各々は、金属などの導電性の材質よりなっている。碍子部１４ｃはセラミックなどの絶縁性の材料によりなっている。
【００５６】
碍子部１４ｃは、本体部１４ｃａと、フランジ部１４ｃｂとを有している。本体部１４ｃａは、１対の点火プラグ電極１４ａと、フレームロッド電極１４ｂとの各々を保持している。フランジ部１４ｃｂは、本体部１４ｃａの外周面から外方へ張り出している。碍子部１４ｃは、正面視において長円状に構成されている。
【００５７】
第２側壁１１ｂには、貫通孔（図示せず）が設けられている。碍子部１４ｃは、第２側壁１１ｂの貫通孔に挿入されている。この挿入状態において、１対の点火プラグ電極１４ａと、フレームロッド電極１４ｂとの各々の先端は、ケース１１の内部に位置している。
【００５８】
上記の挿入状態において、碍子部１４ｃにおける本体部１４ｃａの一方端部はケース１１の内部に位置している。また本体部１４ｃａの他方端部はケース１１の外部に位置している。
【００５９】
上記の挿入状態において、フランジ部１４ｃｂは、ケース１１の外部に位置している。フランジ部１４ｃｂは、第２側壁１１ｂの貫通孔の開口寸法より大きい寸法を有している。
【００６０】
図２および図６に示されるように、押さえ部材１７は、フランジ部１４ｃｂを第２側壁１１ｂとは反対側から押さえている。押さえ部材１７がフランジ部１４ｃｂを押さえた状態で、押さえ部材１７は固定部材１８により第２側壁１１ｂに固定されている。
【００６１】
固定部材１８は、たとえばビス、ネジ、ボルトなどの螺合部材であってもよく、またピンなどであってもよい。固定部材１８は第２側壁１１ｂを貫通しており、固定部材１８の先端はケース１１の内部に位置している。
【００６２】
上記のように押さえ部材１７が、固定部材１８によりケース１１の外部から第２側壁１１ｂに固定されている。これにより、点火プラグ１４をケース１１にしっかりと固定することができる。なお図６に示されるように、押さえ部材１７と第２側壁１１ｂとの間にパッキン１９（図６）が挟まれている。このパッキン１９により、ケース１１の内部から燃焼ガスがケース１１の外部へ漏れ出すことが防止されている。固定部材１８は、このパッキン１９を貫通していてもよい。
【００６３】
次に、上記の点火プラグ１４について図５〜図１０を用いてさらに詳しく説明する。
図５および図６に示されるように、点火プラグ１４における碍子部１４ｃの本体部１４ｃａは、基端部１４ｃａ１と、先端部１４ｃａ２とを有している。基端部１４ｃａ１はケース１１の壁面に取り付けられている。具体的には、基端部１４ｃａ１は、第２側壁１１ｂの壁面に取り付けられている。上記の挿入状態において、基端部１４ｃａ１は、第２側壁１１ｂの貫通孔に挿入されている。
【００６４】
先端部１４ｃａ２は基端部１４ｃａ１からケース１１の壁面とは反対側に突出する。本実施の形態においては、先端部１４ｃａ２はケース１１の内部および外部の両方に突出している。すなわち、碍子部１４ｃの本体部１４ｃａは、ケース１１の内部に突出する第１の先端部１４ｃａ２およびケース１１の外部に突出する第２の先端部１４ｃａ２を有している。なお、先端部１４ｃａ２はケース１１の内部および外部の少なくともいずれかに突出していればよい。
【００６５】
図６〜図８に示されるように、本実施の形態においては、ケース１１の内部に突出する第１の先端部１４ｃａ２およびケース１１の外部に突出する第２の先端部１４ｃａ２の各々は、先端面ＴＳと、溝部ＤＰとを有している。先端面ＴＳは、基端部１４ｃａ１と反対側に配置されている。溝部ＤＰは、先端面ＴＳから基端部１４ｃａ１に向けて窪むように構成されている。溝部ＤＰは、１対の点火プラグ電極１４ａと、フレームロッド電極１４ｂとの各々の間に配置されている。１対の点火プラグ電極１４ａと、フレームロッド電極１４ｂとの各々が保持された碍子部の各部分は、先端面ＴＳにおいて横方向に互いに間隔をあけて配置されている。
【００６６】
図９および図１０に示されるように、溝部ＤＰは、先端部１４ｃａ２の上端ＴＥから下端ＢＥに亘って設けられている。つまり、溝部ＤＰは、先端部１４ｃａ２の上端ＴＥから下端ＢＥまでを貫通するように設けられている。
【００６７】
横方向における溝部ＤＰの幅は、先端部１４ｃａ２の上端ＴＥから下端ＢＥに向けて狭くなっている。溝部ＤＰは上端ＴＥから下端ＢＥに向けて狭くなっている部分があれば良く、下端ＢＥが一番狭くなっている必要はない。本実施の形態においては、溝部ＤＰの幅は、先端部１４ｃａ２の上端ＴＥから上端ＴＥと下端ＢＥとの間までで狭くなっている。なお、溝部ＤＰは、先端部１４ｃａ２の上端ＴＥから下端ＢＥまで連続して狭くなっていてもよい。
【００６８】
溝部ＤＰは、傾斜壁部ＤＰａと、真直壁部ＤＰｂとを有している。傾斜壁部ＤＰａは、先端部１４ｃａ２の上端ＴＥに設けられている。傾斜壁部ＤＰａは、先端部１４ｃａ２の上端ＴＥから下端ＢＥに向けて平面状に高さが低くなる下り勾配を有している。傾斜壁部ＤＰａは平面視において溝部ＤＰの全周を取り囲むように構成されている。傾斜壁部ＤＰａは１対の点火プラグ電極１４ａおよびフレームロッド電極１４ｂの各々よりも上方に位置している。
【００６９】
真直壁部ＤＰｂは傾斜壁部ＤＰａの下端に接続されている。真直壁部ＤＰｂは上下方向にまっすぐに延びるように構成されている。真直壁部ＤＰｂの横方向の幅は一定である。なお、溝部ＤＰは真直壁部ＤＰｂを有していなくてもよい。
【００７０】
先端部１４ｃａ２は、横方向において、溝部ＤＰの一方側に配置された一方端部ＥＰ１と、溝部ＤＰの他方側に配置された他方端部ＥＰ２とを有している。一方端部ＥＰ１は、他方端部ＥＰ２とは反対側に、高さが低くなる下り勾配を有している。他方端部ＥＰ２は、一方端部ＥＰ１とは反対側に、高さが低くなる下り勾配を有している。一方端部ＥＰ１および他方端部ＥＰ２の各々の上端ＴＥは、横方向において外方に向けて高さが低くなる曲面形状を有している。具体的には、一方端部ＥＰ１および他方端部ＥＰ２の各々の上端ＴＥは、円弧形状を有している。
【００７１】
図６に示されるように、溝部ＤＰの幅は、基端部１４ｃａ１から先端面ＴＳに向けて広くなっている。つまり、平面視において溝部ＤＰは、先端面ＴＳ側が開放となり、溝部ＤＰの互いに向かい合う壁同士の距離が先端面ＴＳ側に広くなっている。
【００７２】
図３および図６に示されるように、本実施の形態においては、先端部１４ｃａ２は、基端部１４ｃａ１からケース１１の内部に突出している。溝部ＤＰは、ケース１１の内部に配置されている。また、図２および図６に示されるように、先端部１４ｃａ２は、基端部１４ｃａ１からケース１１の外部に突出している。溝部ＤＰは、ケース１１の外部に配置されている。
【００７３】
つまり、図２、図３および図６に示されるように、本実施の形態においては、先端部１４ｃａ２は、基端部１４ｃａ１からケース１１の内部および外部の両方に突出している。溝部ＤＰは、ケース１１の内部および外部の両方に配置されている。ケース１１の内部に配置された溝部ＤＰの深さは、ケース１１の外部に配置された溝部ＤＰの深さよりも大きくなっている。
【００７４】
次に、本実施の形態の作用効果について比較例と対比して説明する。
図１１に示されるように、比較例においては、溝部ＤＰの幅は先端部１４ｃａ２の上端ＴＥから下端ＢＥまで一定である。つまり、溝部ＤＰの幅は先端部１４ｃａ２の上端ＴＥから下端ＢＥに向けて狭くなっていない。このため、先端部１４ｃａ２の上端ＴＥに付着した結露水は溝部ＤＰに流れにくい。したがって、先端部１４ｃａ２の上端ＴＥに溜まった結露水が１対の点火プラグ電極１４ａおよびフレームロッド電極１４ｂのうちの２つの電極を互いに繋ぐことによって２つの電極が互いに導通しやすくなる。
【００７５】
これに対して、本実施の形態によれば、図１２に示されるように、溝部ＤＰは先端面ＴＳから基端部１４ｃａ１に向けて窪み、１対の点火プラグ電極１４ａおよびフレームロッド電極１４ｂの各々の間に配置され、先端部１４ｃａ２の上端ＴＥから下端ＢＥに亘って設けられている。そして、横方向における溝部ＤＰの幅は、先端部１４ｃａ２の上端ＴＥから下端ＢＥに向けて狭くなっている。これにより、第２側壁１１ｂの壁面で発生し碍子部１４ｃに滴下して付着した結露水が溝部ＤＰに流れやすくなる。このため、先端部１４ｃａ２の上端ＴＥに溜まった結露水が１対の点火プラグ電極１４ａおよびフレームロッド電極１４ｂのうちの２つの電極を互いに繋ぐことによって２つの電極が互いに導通することを抑制できる。したがって、２つの電極間の絶縁不良が発生することを抑制することができる。
【００７６】
図６に示されるように、溝部ＤＰの幅は、基端部１４ｃａ１から先端面ＴＳに向けて広くなっている。これにより、結露水は先端部１４ｃａ２の上端ＴＥにおいて基端部１４ｃａ１から先端面ＴＳに向けて溜まりにくくなるため、先端部１４ｃａ２の上端ＴＥに溜まった結露水が１対の点火プラグ電極１４ａおよびフレームロッド電極１４ｂのうちの２つの電極を互いに繋ぐことによって２つの電極が互いに導通することをさらに抑制することができる。
【００７７】
図１２に示されるように、先端部１４ｃａ２の一方端部ＥＰ１は、他方端部ＥＰ２とは反対側に、高さが低くなる下り勾配を有しており、他方端部ＥＰ２は、一方端部ＥＰ１とは反対側に、高さが低くなる下り勾配を有している。これにより、一方端部ＥＰ１に付着した結露水を他方端部ＥＰ２とは反対側に流すことができ、他方端部ＥＰ２に付着した結露水を一方端部ＥＰ１とは反対側に流すことができる。したがって、結露水が先端部１４ｃａ２の上端ＴＥに溜まりにくくなる。このため、先端部１４ｃａ２の上端ＴＥに溜まった結露水が１対の点火プラグ電極１４ａおよびフレームロッド電極１４ｂのうちの２つの電極を互いに繋ぐことによって２つの電極が互いに導通することをさらに抑制することができる。
【００７８】
図１２に示されるように、傾斜壁部ＤＰａは、先端部１４ｃａ２の上端ＴＥから下端ＢＥに向けて平面状に高さが低くなる下り勾配を有している。これにより、傾斜壁部ＤＰａの平面状に高さが低くなる下り勾配に沿って結露水を流すことで、結露水が溝部ＤＰを流れやすくすることができる。
【００７９】
図３および図６に示されるように、先端部１４ｃａ２は、基端部１４ｃａ１からケース１１の内部に突出し、溝部ＤＰは、ケース１１の内部に配置されている。これにより、ケース１１の内部において先端部１４ｃａ２の上端ＴＥに溜まった結露水が１対の点火プラグ電極１４ａおよびフレームロッド電極１４ｂのうちの２つの電極を互いに繋ぐことによって２つの電極が互いに導通することを抑制することができる。
【００８０】
図２および図６に示されるように、先端部１４ｃａ２は、基端部１４ｃａ１からケース１１の外部に突出し、溝部ＤＰは、ケース１１の外部に配置されている。これにより、ケース１１の外部において先端部１４ｃａ２の上端ＴＥに溜まった結露水が１対の点火プラグ電極１４ａおよびフレームロッド電極１４ｂのうちの２つの電極を互いに繋ぐことによって２つの電極が互いに導通することを抑制することができる。
【００８１】
ケース１１の内部で発生する結露水はケース１１の外部で発生する結露水よりも多い。このため、ケース１１の内部に配置された溝部ＤＰの深さがケース１１の外部に配置された溝部ＤＰの深さよりも大きくなっていることにより、ケース１１の内部において発生した結露水を溝部ＤＰに多く流すことができる。したがって、結露水が多く発生するケース１１の内部において先端部１４ｃａ２の上端ＴＥに溜まった結露水が２つの電極を互いに繋ぐことによって２つの電極が互いに導通することを効果的に抑制することができる。
【００８２】
次に、点火プラグ１４の各種変形例について図１３〜図１７を用いて説明する。なお、各種変形例の構成は、特に言及しない限り、本実施の形態の構成と同様であるため、同一の要素については同一の符号を付し、その説明を繰り返さない。
【００８３】
図１３に示されるように、点火プラグ１４の第１の変形例においては、点火プラグ１４の溝部ＤＰの傾斜壁部ＤＰａは、先端部１４ｃａ２の上端ＴＥから下端ＢＥに向けて曲面状に高さが低くなる下り勾配を有している。これにより、傾斜壁部ＤＰａの曲面状に高さが低くなる下り勾配に沿って結露水を流すことで、結露水が溝部ＤＰを流れやすくすることができる。
【００８４】
図１４に示されるように、点火プラグ１４の第２の変形例においては、点火プラグ１４の溝部ＤＰの傾斜壁部ＤＰａは、先端部１４ｃａ２の上端ＴＥから下端ＢＥに向けて平面状に高さが低くなる下り勾配を有している。この傾斜壁部ＤＰａは、仮想の円ＶＣの接線となるように設けられている。仮想の円ＶＣは、１対の点火プラグ電極１４ａと、フレームロッド電極１４ｂの各々を各電極の周方向に取り囲み、かつ各電極が中心に位置する。このため、絶縁性を確保するように仮想の円ＶＣを設定することにより、絶縁性を確保しつつ傾斜壁部ＤＰａの平面状に高さが低くなる下り勾配に沿って結露水を流すことで、結露水が溝部を流れやすくすることができる。
【００８５】
図１５〜図１７に示されるように、点火プラグ１４の第３の変形例においては、先端部１４ｃａ２は、少なくとも２つの円筒部ＣＰを有している。具体的には、先端部１４ｃａ２は３つの円筒部ＣＰを有している。３つの円筒部ＣＰの各々に１対の点火プラグ電極１４ａおよびフレームロッド電極１４ｂの各々が円筒部ＣＰの軸方向に挿通されている。溝部ＤＰは、３つの円筒部ＣＰのうちの２つの円筒部ＣＰ同士の間に配置されている。本実施の形態においては、１対の点火プラグ電極１４ａが挿通された２つの円筒部ＣＰ同士の間および横方向の中央に配置された点火プラグ電極１４ａが挿通された円筒部ＣＰとフレームロッド電極１４ｂが挿通された円筒部ＣＰとの間にそれぞれ溝部ＤＰが配置されている。
【００８６】
点火プラグ１４の第３の変形例においては、２つの円筒部ＣＰ同士の間に配置された溝部ＤＰに結露水を流すことができる。また、２つの円筒部ＣＰに挿通された２つの電極の各々は円筒部ＣＰの径方向に均一に絶縁性を確保することができる。
【００８７】
さらに、先端部１４ｃａ２は、３つの円筒部ＣＰのうち２つの円筒部ＣＰ同士の間に配置された接続壁ＤＰｃを有している。３つの円筒部ＣＰの各々は接続壁ＤＰｃよりも基端部１４ｃａ１からケース１１の壁面とは反対側に突出している。１対の点火プラグ電極１４ａおよび点火プラグ電極１４ａの各々の円筒部ＣＰ内を延びる方向において、接続壁ＤＰｃの厚み寸法は円筒部ＣＰの厚み寸法よりも小さい。接続壁ＤＰｃの上端ＴＥは、基端部１４ｃａ１からケース１１の壁面とは反対側に高さが低くなる下り勾配を有している。これにより、接続壁ＤＰｃに沿って結露水を流すことで、結露水が溝部ＤＰを流れやすくすることができる。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８９】
１０  顕熱回収熱交換器、１１  ケース、１１ａ  第１側壁、１１ｂ  第２側壁、１１ｃ  第３側壁、１１ｄ  第４側壁、１２  ヘッダ、１３  吸熱パイプ、１４  点火プラグ、１４ａ  点火プラグ電極、１４ｂ  フレームロッド電極、１４ｃ  碍子部、１４ｃａ  本体部、１４ｃａ１  基端部、１４ｃａ２  先端部、１４ｃｂ  フランジ部、１６  フィン、１７  押さえ部材、１８  固定部材、１９  パッキン、２０  潜熱回収熱交換器、３０  バーナ、３１  チャンバ、３２  送風装置、３３  ダクト、３４  ベンチュリ、３５  オリフィス、３６  ガスバルブ、４０  配管、４１  バイパス配管、４２  三方弁、４３  液液熱交換器、４４  温水配管、５０  筐体、１００  温水装置、ＢＥ  下端、ＣＰ  円筒部、ＤＰ  溝部、ＤＰａ  傾斜壁部、ＤＰｂ  真直壁部、ＤＰｃ  接続壁、ＥＰ１  一方端部、ＥＰ２  他方端部、ＴＥ  上端、ＴＳ  先端面、ＶＣ  仮想の円。
【図１】
2018071854.tif 000003
【図２】
2018071854.tif 000004
【図３】
2018071854.tif 000005
【図４】
2018071854.tif 000006
【図５】
2018071854.tif 000007
【図６】
2018071854.tif 000008
【図７】
2018071854.tif 000009
【図８】
2018071854.tif 000010
【図９】
2018071854.tif 000011
【図１０】
2018071854.tif 000012
【図１１】
2018071854.tif 000013
【図１２】
2018071854.tif 000014
【図１３】
2018071854.tif 000015
【図１４】
2018071854.tif 000016
【図１５】
2018071854.tif 000017
【図１６】
2018071854.tif 000018
【図１７】
2018071854.tif 000019